(57)【特許請求の範囲】
【請求項１】
指針を支持する第１支持部材と、この第１支持部材にスプリングを介して組付けることで前記第１支持部材との間に弾性力を常時付勢させる第２支持部材と、を備えた指針組付構造であって、
前記第２支持部材には、前記第１支持部材に組付け後の該第１支持部材との間に形成される前記スプリングを収容するバネ室と連通し、そのスプリングを差し込み可能な開口部が、前記第１支持部材に対面する内面側とは反対の外面側に形成され、
前記第１支持部材には、前記第２支持部材に組付け後の該第２支持部材との間に形成される前記バネ室内に位置する当接部が形成され、
前記バネ室に収容された前記スプリングが前記バネ室の内壁と前記当接部を押圧することによって、前記第１支持部材と前記第２支持部材との間に弾性力が付勢される、
ことを特徴とする指針組付構造。
【請求項２】
前記第２支持部材の前記開口部周囲には、前記スプリングを縮め斜めに変形させた状態で前記バネ室に差し込み可能にガイドする、前記バネ室に向かって傾斜した庇状のガイドが形成され、
前記第１支持部材の前記当接部には、前記スプリングを縮め斜めに変形させた状態で前記バネ室に差し込み可能にガイドする、前記バネ室に向かって傾斜した庇状のガイドが形成される、
ことを特徴とする請求項１に記載の指針組付構造。
【発明の詳細な説明】
【技術分野】
【０００１】
本発明は、例えば自動車などの車両に搭載される指針移動装置を備えた指針式表示装置等に用いるのに好適な指針組付構造、及び、指針部にこの指針組付構造を用い指針の回転中心をなくして開口部とし指針だけが円弧上に移動するようにした、いわゆるセンターレス指針式表示装置に関する。
【背景技術】
【０００２】
指針の回転中心を開口部とし、指針だけが円弧上に移動するようなセンターレス指針式表示装置には、例えば特許文献１に記載されているものなどが知られている。
【０００３】
即ち、特許文献１記載のセンターレス指針式表示装置は、図１２及び図１３に示すように、文字盤に形成された目盛りに沿って形成されるガイドレール１００を、指針１２０が装着された移動体１１０を走行させて、所定の目盛りを指示する構成のものである。
【０００４】
このセンターレス指針式表示装置では、移動体１１０は、ガイドレール１００に沿って配列された複数のプーリ１１１Ａを軸支する第１の支持部材１１２と、少なくとも１つのプーリ１１１Ｂを軸支する第２の支持部材１１３を備え、第１の支持部材１１２に軸支された複数のプーリ１１１Ａと第２の支持部材１１３に軸支されたプーリ１１１Ｂとでガイドレール１００を挟持し、かつ、第１の支持部材１１２と第２の支持部材１１３は、第１の支持部材１１２に軸支された複数のプーリ１１１Ａと第２の支持部材１１３に軸支されたプーリ１１１Ｂとの軸間方向に摺動可能に互いに組み付け、第１の支持部材１１２と第２の支持部材１１３の軸間方向の間隔を縮小する方向に付勢するスプリング１１４を有する。尚、図１２中、符号１３０は、文字盤上の所定の目盛を指針１２０で指し示すために、移動体１１０をガイドレール１００に沿って所定位置まで移動させる駆動装置である。
【先行技術文献】
【特許文献】
【０００５】
【特許文献１】特開２０１０−１０７５０４号公報
【発明の概要】
【発明が解決しようとする課題】
【０００６】
ところで、上記のような構成のセンターレス指針式表示装置にあっては、指針１２０の移動機構に取り付けた移動体１１０のプーリ１１１Ａ、１１１Ｂをガイドレール１００へ常時しっかりと当接させた状態に保持するためにスプリング１１４を設けている。ところが、このスプリング１１４は、収縮させながら第１の支持部材１１２と第２の支持部材１１３に挟まれる狭い空間へ、しかも作業者が直接視認することができる方向とは逆の背面側から組付けるようになっているので、組付け作業が厄介で、作業性の低下等をもたらしている。
【０００７】
本発明は、上述した事情に鑑みてなされたものであり、その目的は、プーリをガイドレールに密着状態で当接させるためのスプリングを容易に組付けることができる指針組付構造を提供することにある。
【課題を解決するための手段】
【０００８】
前述した目的を達成するために、本発明に係る指針組付構造は、下記（１）〜（２）を特徴としている。
（１）  指針を支持する第１支持部材と、この第１支持部材にスプリングを介して組付けることで前記第１支持部材との間に弾性力を常時付勢させる第２支持部材と、を備えた指針組付構造であって、
前記第２支持部材には、前記第１支持部材に組付け後の該第１支持部材との間に形成される前記スプリングを収容するバネ室と連通し、そのスプリングを差し込み可能な開口部が、前記第１支持部材に対面する内面側とは反対の外面側に形成され、
前記第１支持部材には、前記第２支持部材に組付け後の該第２支持部材との間に形成される前記バネ室内に位置する当接部が形成され、
前記バネ室に収容された前記スプリングが前記バネ室の内壁と前記当接部を押圧することによって、前記第１支持部材と前記第２支持部材との間に弾性力が付勢される、
こと。
（２）上記（１）の構成の指針組付構造において、
前記第２支持部材の前記開口部周囲には、前記スプリングを縮め斜めに変形させた状態で前記バネ室に差し込み可能にガイドする、前記バネ室に向かって傾斜した庇状のガイドが形成され、
前記第１支持部材の前記当接部には、前記スプリングを縮め斜めに変形させた状態で前記バネ室に差し込み可能にガイドする、前記バネ室に向かって傾斜した庇状のガイドが形成される、
こと。
【０００９】
上記（１）の構成の指針組付構造によれば、第１支持部材に組付け後の該第１支持部材と第２支持部材の間に、第２支持部材の表側の開口部からその奥部のバネ室へ向け、スプリングを押し込んで装着させることができるようになるので、スプリングの装着が容易になる。
上記（２）の構成の指針組付構造によれば、バネ室に向かってテーパ状などに傾斜した庇状のガイドを突設するので、そのガイドに案内されながら、スプリングをさらに容易にバネ室内に収容させることができるようになる。また、その庇状のガイドがバネ室に収容させていたスプリングを外部に飛び出すことを阻止することができる。
【発明の効果】
【００１０】
本発明の指針組付構造によれば、第１支持部材に組付け後の該第１支持部材と第２支持部材の間に、第２支持部材の表側の開口部からその奥部のバネ室へ向け、スプリングを押し込んで装着させることができるようになるので、スプリングの装着が容易になる。
また、本発明の指針組付構造によれば、バネ室に向かってテーパ状などに傾斜した庇状のガイドを突設するので、そのガイドに案内されながら、スプリングをさらに容易にバネ室内に収容させることができるようになる。また、その庇状のガイドがバネ室に収容させていたスプリングを外部に飛び出すことを阻止することができる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】本発明に係る指針組付構造を用いたセンターレス指針式表示装置の分解斜視図である。
【図２】本発明に係るセンターレス指針式表示装置の要部である指針移動装置の斜視図である。
【図３】図２の指針移動装置の分解斜視図である。
【図４】図２の指針移動装置の縦断面図である。
【図５】本発明に係るセンターレス指針式表示装置の要部である指針移動装置の正面図である。
【図６】本発明に係るセンターレス指針式表示装置の指針移動装置の要部を示す正面図である。
【図７】本発明に係るセンターレス指針式表示装置の指針移動装置の要部である指針ベースへテンションアームを組み込む直前の状態を示す説明図である。
【図８】指針ベースへテンションアームを組み込み途中の状態を示す説明図である。
【図９】指針ベースへテンションアームを組み込み完了した状態を示す説明図である。
【図１０】指針ベースへテンションアームを組み込んだ後で、スプリングを組み込むときの状態を示す説明図であって、（Ａ）はスプリングを組み込む途中の状態を示す説明図であり、（Ｂ）はスプリングを組み込み完了した状態を示す説明図である。
【図１１】指針ベースへテンションアームを組み込んだ後で、スプリングを組み込むときのスプリングの形状を示す説明図であって、（Ａ）はスプリングを組み込む途中の状態を示す説明図であり、（Ｂ）はスプリングを組み込み完了した状態を示す説明図である。
【図１２】従来のセンターレス指針式表示装置の全体構成を示す斜視図である。
【図１３】従来のセンターレス指針式表示装置の要部である指針移動装置の斜視図である。
【発明を実施するための形態】
【００１３】
以下に、本発明に係る指針組付構造を用いたセンターレス指針式表示装置について、添付図面を参照しながら詳細に説明する。
なお、ここでは、特に、指針ベースを構成する第１支持部材とテンションアームを構成する第２支持部材との間に、スプリングを容易に装着させることのできるセンターレス指針式表示装置について、図面を用いて説明する。
【００１４】
〈本発明に係るセンターレス指針式表示装置１０〉
本発明に係るセンターレス指針式表示装置１０は、指針組付構造が適用される指針移動装置２０と、指針移動装置２０を内部に収納固定する収納ケース３０と、を備えている。そして、指針移動装置２０は指針部２１と指針部２１を搬送する搬送部２２とを備えており、収納ケース３０はケース本体３１とケース本体３１を塞ぐ目盛板３２とを備えている。
【００１５】
以下、本発明に係るケース本体３１と、目盛板３２と、指針部２１と、搬送部２２と、について説明する。
【００１６】
〈ケース本体３１〉
ケース本体３１は運転者側に半円状開口部３１Ｋ（図１）を有するそれ自体が半円状をしたプラスチック製ケースで、内部空間の底部３１Ｔの一端（図１で左端近傍）に指針移動装置２０を収納するためのテンション部品を収容するテンション部品収容ケース２２Ｃを備え、底部３１Ｔの他端（図１で右端近傍）にモータ（図示省略）で正逆回転させられる巻き戻しプーリ２２Ｐを備えている。
【００１７】
〈目盛板３２〉
目盛板３２はそれ自体半円状をしたプラスチック製薄板で、半円の中心から所定半径の半円状の開口３２Ｋが開けられており、開口３２Ｋの外周に目盛が円弧状に記載されている。図１はスピードメータの目盛例を示しており、０、２０、４０、・・・、１４０、１６０（ｋｍ／時間）の数字が略半円弧又は楕円形状にそれぞれ所定の間隔をあけて記載されている。目盛板３２はケース本体３１の半円状開口部３１Ｋを塞ぐようにケース本体３１に取り付けられる。開口３２Ｋの内側空間には液晶表示器などが配置される。目盛板３２の裏側にはガイドレール２２Ｒが配置される。
【００１８】
〈指針部２１〉
《指針２１Ｃの第１支持部材２１Ａへの取り付け》
図１に戻って、搬送部２２上を移動する指針部２１は、図２の指針移動装置２０の斜視図、図３の分解斜視図、および図４の縦断面図から分かるように、第１支持部材２１Ａと第２支持部材２１Ｂとがコイルスプリング２１Ｓを挟んで一体に嵌合された支持部材２１Ｚ（図４）と、第１支持部材２１Ａに嵌合する指針２１Ｃと、から成っている。
【００１９】
すなわち、第１支持部材２１Ａの上部端面に片持ちアーム状の指針固定部２１Ｋを形成し、一方、縦に長尺状をした指針２１Ｃの長手方向の下端から上端に向かうに従って徐々に厚みが太くなる錐状に形成されたその上端幅広部に固定用開口部２１Ｌを形成し、この固定用開口部２１Ｌに指針固定部２１Ｋが嵌合することで指針２１Ｃが第１支持部材２１Ａに、したがって支持部材２１Ｚに、取り付けられる。
【００２０】
《指針部２１のワイヤ２２Ｗへの固定》
さらに、第１支持部材２１Ａの上部中央にワイヤ固定溝２１Ｗ（図４）が形成されており、このワイヤ固定溝２１Ｗにワイヤ２２Ｗ（図４）が食い込み固定されている。
【００２１】
したがってワイヤ２２Ｗが搬送部２２によって引き出されたり、巻き戻されることで、第１支持部材２１Ａは、したがって指針部２１は目盛板３２（図１）の目盛の延在方向に沿って移動するようになる。
【００２２】
《指針部２１のガイドレール２２Ｒへの取り付け》
図２〜図４から分かるように、第１支持部材２１Ａの上部で指針固定部２１Ｋの軸方向を挟んで前後にあるそれぞれのプーリ軸支持部２１Ｑ１を介して上プーリ２１Ｐ１、２１Ｐ１がそれぞれ設けられ、また、第２支持部材２１Ｂの下端には第１支持部材２１Ａの指針固定部２１Ｋの軸方向にプーリ軸支持部２１Ｑ２を介して下プーリ２１Ｐ２が設けられている。
【００２３】
また、第１支持部材２１Ａには、コイルスプリング２１Ｓの側面を一部収容するために、略矩形形状を有する（図７参照）とともに、縦断面円弧状の収容溝２１Ｍａ(図１０参照)とコイルスプリング２１Ｓの下部を押さえる当接部２１Ｔａ（図４、７参照）が形成されている。第２支持部材２１Ｂには、コイルスプリング２１Ｓの前記側面と反対側の側面を一部収容する（後述のバネ室ＢＲに連通するとともに、コイルスプリング２１Ｓのバネ室ＢＲへの入り口となる開口部を構成する）収容溝２１Ｍｂと、コイルスプリング２１Ｓの上部を押さえる当接部２１Ｔｂが形成されている。
【００２４】
したがって、第１支持部材２１Ａの収容溝２１Ｍａと第２支持部材２１Ｂの収容溝２１Ｍｂに挟まれるバネ室ＢＲにコイルスプリング２１Ｓを収容し、かつ第１支持部材２１Ａの当接部２１Ｔａと第２支持部材２１Ｂの当接部２１Ｔｂとの間にコイルスプリング２１Ｓの下部と上部を収容することで、コイルスプリング２１Ｓに反発力が生じる。この反発力が第１支持部材２１Ａを下方へ押し、かつ第２支持部材２１Ｂを上方へ押すように作用し、その結果、上プーリ２１Ｐ１と下プーリ２１Ｐ２が常時互いに接近する方向に付勢されるようになる。
【００２５】
したがって、２個の上プーリ２１Ｐ１の凹部と１個の下プーリ２１Ｐ２の凹部間に、ガイドレール２２Ｒの上下の凸部２２Ｔ１、２２Ｔ２をコイルスプリング２１Ｓの弾性力を利用して挟むことで、支持部材２１Ｚは、すなわち、指針部２１はガイドレール２２Ｒに確実に把持され、これにより指針部２１は搬送部２２の上を搬送されるようになる。
【００２６】
〈搬送部２２〉
搬送部２２は、ガイドレール２２Ｒ（図２）と、ガイドレール２２Ｒの一長辺面に所定間隔をあけて設けられた複数のガイドプーリ（図示省略）と、各ガイドプーリに亘って引き渡されるワイヤ２２Ｗ（図２）と、略半円弧又は楕円形状のガイドレール２２Ｒの長さ方向の一端（図１で左側）に設けられて常時反円弧方向にテンションを加えるテンション部品（図示省略）を収容するテンション部品収容ケース２２Ｃ（図１）と、ガイドレール２２Ｒの他端（図１で右側）に設けられた巻き戻しプーリ２２Ｐと、巻き戻しプーリ２２Ｐを正逆回転させるモータ（図示省略）と、指針部２１にある照明用ＬＥＤへ給電するための略半円弧又は楕円形状の導電部品（図示省略）と、同じく導電部品を覆うための導電部品カバー（図示省）とを備えている。
【００２７】
ガイドレール２２Ｒは、長さ方向には略半円弧又は楕円形状をしており、その断面はコ字を立てた形状（図２、図３）であり、その上下の脚部外側にそれぞれ凸部２２Ｔ１、２２Ｔ２を備えている。
【００２８】
また、ワイヤ２２Ｗの一端をテンション部品（図示省略）に結合してワイヤ２２Ｗを常時反円弧方向に付勢すると共にワイヤ２２Ｗの他端を巻き戻しプーリ２２Ｐに結合してモータの正回転によってワイヤ２２Ｗを所望の長さだけテンション部品側から引き出し、またモータの逆回転によってワイヤ２２Ｗを所望の長さだけテンション部品によってテンション部品側へ巻き戻すことができるようにしている。
【００２９】
〈指針部２１の搬送部２２への取り付け〉
指針部２１を搬送部２２へ取り付けるには、図２〜図４に示すように、搬送部２２のガイドレール２２Ｒの上の凸部２２Ｔ１と下の凸部２２Ｔ２とにそれぞれ指針部２１の２個の上プーリ２１Ｐ１の凹部と１個の下プーリ２１Ｐ２の凹部とを嵌め込んで挟むことで、支持部材２１Ｚはガイドレール２２Ｒに確実に取り付けられる。
【００３０】
そして、ワイヤ２２Ｗが第１支持部材２１Ａに形成されたワイヤ固定溝２１Ｗ（図３、図４）に食い込み固定されているので、モータによる巻き戻しプーリ２２Ｐ（図１）の正逆回転によりワイヤ２２Ｗが所望の長さだけテンション部品収容ケース２２Ｃ（図１）側から引き出されたり、引き戻されたりする毎に、指針部２１は目盛板３２の目盛（図１）の延在方向に沿って移動するようになる。
【００３１】
次に、本発明の特徴的構造部分について、図５乃至図１１を参照しながら詳細に説明する。本発明では、特に、支持部材２１Ｚ（図４）を構成する、一体に嵌合された第１支持部材２１Ａと第２支持部材２１Ｂとの間に、挟んで取付けたコイルスプリング(以下、スプリングと略す)２１Ｓについて、［発明が解決しようとする課題］に記載したように、その取付方法が厄介であったことに鑑み、これを容易に装着させることができるように構成したものである。
【００３２】
なお、このスプリング２１Ｓは、上述したように、第１支持部材２１Ａに一体に組付ける第２支持部材２１Ｂを、第１支持部材２１Ａに対して弾性的に圧接させた状態で保持させるためのものであり、この弾性力によって、下プーリ２１Ｐ２をガイドレール２２Ｒの下側の凸部２２Ｔ２に圧接状態に保持することができる。換言すれば、上プーリ２１Ｐ１と下プーリ２１Ｐ２を、常時互いに接近する方向に付勢させることができる。
【００３３】
本実施形態では、図５及び図６に示すように、第２支持部材２１Ｂは、第１支持部材２１Ａに対してスライド可能に組付けられているものであって、スプリング２１Ｓを挿入可能な開口部が形成された、前述した収容溝２１Ｍｂが設けられている。この第２支持部材２１Ｂの収容溝２１Ｍｂは、第１支持部材に対面する内面側、つまり裏面側（２１ＢＩ；図１０参照）とは反対の外面側、つまり表面側（２１ＢＯ；図１０参照）に開口するように設けているものであって、特にこの外面側から開口した収容溝２１Ｍｂを介して、その奥部に設けたバネ室ＢＲにスプリング２１Ｓを収容させるようになっている。
【００３４】
第２支持部材２１Ｂのバネ室ＢＲは、開口部を構成する外面側に開口された収容溝２１Ｍｂと連通したその奥部の、第２支持部材２１Ｂの内部において、開口面に沿った横断面形状が図７に示すように略直方体状に形成されているとともに、これに垂直な縦断面方向については図１０に示すように略半円形状に形成されている。このバネ室ＢＲは、第２支持部材２１Ｂの内面側に形成した収容溝２１Ｍｂと第１支持部材２１Ａの内面側に設けた収容溝２１Ｍａとの間で、自然状態での大きさのスプリング２１Ｓを収容させるのに必要な大きさの空間を形成している。
【００３５】
また、この第２支持部材２１Ｂには、第１支持部材２１Ａのスプリング２１Ｓの下部を押さえる上述した当接部２１Ｔａをバネ室ＢＲへ潜り込ませてこのバネ室ＢＲ内に配置させるため、収容溝２１Ｍｂが当接部２１Ｔａを挿入可能な形状で開口されている。
【００３６】
さらに、本発明の指針組付構造を用いた第１支持部材２１Ａの当接部２１Ｔａ及び第２支持部材２１Ｂの収容溝２１Ｍｂには、バネ室ＢＲに向けて傾斜したテーパを設けた庇状の挿入ガイド片Ｇ１、Ｇ２及びガイド面Ｇ３がそれぞれ設けられている。特に、挿入ガイド片Ｇ１、Ｇ２は、庇状に突出しているので、これらの挿入ガイド片Ｇ１、Ｇ２を乗り越えてバネ室ＢＲに入り込んで収容されたスプリング２１Ｓは、挿入ガイド片Ｇ１、Ｇ２が壁となってバネ室ＢＲから外部に飛び出すことが確実に防止されている。
【００３７】
第１支持部材２１Ａの当接部２１Ｔａには、上述した庇状の挿入ガイド片Ｇ１がバネ室ＢＲに向けて傾斜するテーパを設けた状態に設置されており、この庇状の挿入ガイド片Ｇ１の内側のバネ室ＢＲにスプリング２１Ｓが収容される。その場合、スプリング２１Ｓの一方の端部（図９では下端部）が当接部２１Ｔａの一面（上面）に弾性的に当接する。
【００３８】
一方、第２支持部材２１Ｂには、図６〜９において、収容溝２１Ｍｂを取り囲む略四角形状の内周面のうち、上下２面である短辺側であって、かつ、第１支持部材２１Ａの当接部２１Ｔａが収容されている下面とは反対の上面部分（当接部２１Ｔｂ）に、バネ室ＢＲに向けて傾斜するテーパを設けた状態の、上述した庇状の挿入ガイド片Ｇ２が設置されている。
【００３９】
さらに、第２支持部材２１Ｂには、図６〜９及び図１０に示すように、収容溝２１Ｍｂを取り囲む内周面のうち、長辺側の左右両側２面全体に亘って、互いに接近する方向に突出するとともにバネ室ＢＲに向けて傾斜した斜面状態で、上述したガイド面Ｇ３が形成されている。
【００４０】
次に、このように構成された本実施形態の指針組付構造を用いたセンターレス指針式表示装置１０の指針部２１にスプリング２１Ｓを取り付ける作業方法について、主に図７〜図１１を参照しながら詳細に説明する。
【００４１】
（１）図３に示すように、予め、ガイドレール２２Ｒの凸部２２Ｔ１に一対の上プーリ２１Ｐ１を係合させるとともに、ワイヤ固定溝２１Ｗにワイヤ２２Ｗ（図４）が食い込み固定されている状態まで、指針部２１側の第１支持部材２１Ａを搬送部２２側に組付けておく。
【００４２】
（２）その後に、第１支持部材２１Ａに対して、図７に示す第２支持部材２１Ｂを、図８に示すようにスライドさせながら挿入し組付けていく。この際、第１支持部材２１Ａの当接部２１Ｔａが障害となって、このままの状態ではバネ室ＢＲを取り囲む壁面のうち特に挿入ガイド片Ｇ２を設けている壁面（この壁面は、図７ではＷで示す、前述の第２支持部材２１Ｂでの当接部２１Ｔｂの外側面を構成する）に衝突して挿入できないので、これを回避するために、以下のような作業を先に行う。
【００４３】
（３）即ち、図７において、第１支持部材２１Ａに対して第２支持部材２１Ｂを、予め、ラインＬ１がラインＬ２と重なる直前の真上のところまで移動させてきておき、その後、第２支持部材２１Ｂを第１支持部材２１Ａに向けて真っ直ぐに降下させる。これにより、第２支持部材２１Ｂの内側面（図８では下面に位置する）に開口した収容溝２１Ｍｂからバネ室ＢＲ内部に第１支持部材２１Ａの当接部２１Ｔａを潜り込ませておいてから、第２支持部材２１ＢをラインＬ２がラインＬ１に達するまで水平移動(図７では紙面に平行に移動）させる。これにより、第１支持部材２１Ａのスライド溝ＳＬ（図７、１０参照）に第２支持部材２１Ｂをスライドさせながら嵌め込んで組付けていく。
【００４４】
（４）このようにして、図８に示すように、第１支持部材２１Ａに対して第２支持部材２１Ｂを嵌め込んだならば、次に、第１支持部材２１Ａの収容溝２１Ｍａと第２支持部材２１Ｂの収容溝２１Ｍｂの奥のバネ室ＢＲと間の空間にスプリング２１Ｓを収容し、かつ第１支持部材２１Ａの当接部２１Ｔａと第２支持部材２１Ｂの当接部２１Ｔｂとの間にスプリング２１Ｓの下部と上部の両端部まで収まるように収容する。このような状態でスプリング２１Ｓを収容させるには、下記のような作業を行うことで、簡単にスプリング２１Ｓを上記のような収容状態とすることができる。
【００４５】
（５）即ち、図８に示す配置状態で、第２支持部材２１Ｂの表側に開口する収容溝２１Ｍｂから、図９に示すように、スプリング２１Ｓを圧縮させるのと同時に変形させて押し込ませて挿入させる。つまり、図１０（Ａ）及び図１１（Ａ）に示すように、収容溝２１Ｍｂの開口形状に倣って、スプリング２１Ｓを同じような斜め形状に変形させながら、同時に圧縮させながら、挿入させる。このようにして、図１０(Ｂ)に示すように、収容溝２１Ｍｂからスプリング２１Ｓを収容溝２１Ｍｂの奥のバネ室ＢＲに押し込ませると、第１支持部材２１Ａの収容溝２１Ｍａと第２支持部材２１Ｂの収容溝２１Ｍｂの奥のバネ室ＢＲと間の空間は、十分な広さを確保してあるので、その空間部分に入り込んだスプリング２１Ｓは、自身の復元力でもとの断面真円の状態で、かつ、自然長に戻ったものとの長さに自然に復帰する。
【００４６】
これにより、スプリング２１Ｓの一端（図９では上端）が第２支持部材２１Ｂの収容溝２１Ｍｂの奥のバネ室ＢＲの内壁（図９のＷで示す外壁面とは対峙する内壁面、つまり当接部２１Ｔｂ）を押圧するとともに、スプリング２１Ｓの他端（図９では下端）が第１支持部材２１Ａの当接部２１Ｔａの壁面Ｗ´を押圧する。その結果、第１支持部材２１Ａと第２支持部材２１Ｂとの間には、双方を接近させようとする方向に、スプリング２１Ｓの弾性力が作用する。これにより、第２支持部材２１Ｂ側に設けた下プーリ２１Ｐ２がガイドレール２２Ｒを確実に圧接させることができる。
【００４７】
このように、本実施形態の指針組付構造によれば、組付け後の該第１支持部材と第２支持部材の間に、スプリング２１Ｓを容易に装着させることができるようになる。その結果、このスプリング２１Ｓは、上述したように、第１支持部材２１Ａに一体に組付ける第２支持部材２１Ｂを、第１支持部材２１Ａに対して弾性的に圧接させた状態で保持させることができる。そのため、この弾性力によって、プーリ２１Ｐ２をガイドレール２２Ｒの凸部２２Ｔ２に密着状態で当接させることができる。換言すれば、上プーリ２１Ｐ１と下プーリ２１Ｐ２は、常時互いに接近する方向に付勢されるようになるわけである。
【符号の説明】
【００４８】
１０  センターレス指針式表示装置
２０  指針移動装置
２１  指針部
２１Ａ  第１支持部材
２１Ｂ  第２支持部材
２１Ｃ  指針
２１Ｋ  指針固定部
２１Ｌ  固定用開口部
２１Ｍａ  （第１支持部材２１Ａの）収容溝
２１Ｍｂ  （第２支持部材２１Ｂの）収容溝（開口部）
２１Ｐ１、２１Ｐ２  プーリ
２１Ｑ１、２１Ｑ２  プーリ軸支持部
２１Ｓ  スプリング（コイルスプリング）
２１Ｔａ  （第１支持部材２１Ａの）当接部
２１Ｔｂ  （第２支持部材２１Ｂの）当接部
２１Ｗ  ワイヤ固定溝
２１Ｚ  支持部材
２２  搬送部
２２Ｃ  テンション部品収容ケース
２２Ｐ  巻き戻しプーリ
２２Ｒ  ガイドレール
２２Ｗ  ワイヤ
３０  収納ケース
３１  ケース本体
３２  目盛板
ＢＲ  バネ室
Ｇ１  挿入ガイド片
Ｇ２  挿入ガイド片
Ｇ３  ガイド面
ＳＬ  スライド溝
【図１】
0005485105.tif 000002
【図２】
0005485105.tif 000003
【図３】
0005485105.tif 000004
【図４】
0005485105.tif 000005
【図５】
0005485105.tif 000006
【図６】
0005485105.tif 000007
【図７】
0005485105.tif 000008
【図８】
0005485105.tif 000009
【図９】
0005485105.tif 000010
【図１０】
0005485105.tif 000011
【図１１】
0005485105.tif 000012
【図１２】
0005485105.tif 000013
【図１３】
0005485105.tif 000014